(57)【要約】      （修正有）【課題】イヤリングやピアスのようにマスクの着用・取外しの際の煩わしさがなく、マスクから取外す際に耳掛紐から脱離してペンダントトップを紛失することがなく、耳掛紐に取り付ける位置を容易に変更することができ、耳周りのオシャレをすることのできるペンダント支持体、及び、これを用いたマスク用ペンダントを提供する。【解決手段】ペンダント支持体は、ばね性を有する線材２１を一体的に環状に曲げ形成することにより、ペンダントトップの支持部２２と、耳掛紐への係止部２３と、耳掛紐上を移動できる挿通部２４と、挿通部内に耳掛紐を係入する係入部２５とを構成する。係止部を支点として挿通部の一方の側部２４ａと他方の側部２４ｂとを弾性的に近接させて係入部の交差状態を解放して耳掛紐を係入する。係入後には弾性的な解放を解消して、挿通された耳掛紐が係入部から脱離することがない。【選択図】図２
0003230382.tif 000002
【実用新案登録請求の範囲】
【請求項１】
ペンダントトップを支持してマスクの耳掛紐などに係止するためのペンダント支持体であって、
ばね性を有する線材を一体的に環状に曲げ形成することにより、ペンダントトップを支持する支持部と、前記耳掛紐に係止する係止部と、前記耳掛紐を挿通した状態で移動する挿通部と、前記挿通部の内部に前記耳掛紐を係入する係入部とを構成し、
前記線材の一方の端部で前記支持部を下部に形成し、当該線材を略直線状に上方に向けて前記挿通部と前記係止部のそれぞれ一方の側部を形成し、
当該線材を上部において前記耳掛紐の外径より小さい曲率で略半円形に下方に曲げて前記係止部の上部を形成し、
当該線材を前記係止部の上部半円形の端部から略直線状に下方に向けて前記係止部の他方の側部を形成し、当該線材を前記耳掛紐の外径より大きい曲率で略半円形に側方から下方に曲げて前記挿通部の他方の側部を形成し、
当該挿通部の他方の側部の下端部を前記支持部から略直線状に上方に向けて形成された前記挿通部の一方の側部に向けて当該一方の側部と交差状態に掛止して前記係入部を形成し、
前記係止部の上部半円形の端部を支点として前記挿通部の一方の側部と他方の側部とを弾性的に近接させて前記係入部の交差状態を解放することにより、前記耳掛紐を当該係入部から前記挿通部に係入し、
係入後には前記弾性的な解放を解消して元の交差状態とし、挿通された前記耳掛紐が前記係入部から脱離することがないことを特徴とするペンダント支持体。
【請求項２】
ペンダントトップと請求項１に記載のペンダント支持体とからなり、
当該ペンダントトップが前記ペンダント支持体の前記支持部に支持されていることを特徴とするマスク用ペンダント。
【考案の詳細な説明】
【技術分野】
【０００１】
本考案は、ペンダントトップを支持してマスクの耳掛紐などに係止するためのペンダント支持体、及び、これを用いたマスク用ペンダントに関するものである。
【背景技術】
【０００２】
従来から衛生目的で多種多様なマスクが使用されている。例えば、感冒の予防、塵埃の防御、花粉症の予防などの目的で使用されている。また、インフルエンザウイルスやノロウイルス等のウイルスによる感染症の予防にも広く使用されている。更に、２０２０年に始まった新型コロナウイルス感染症（ＣＯＶＩＤ−１９）の拡大の際には、医療用マスクだけでなく一般用マスクの需要も急激に高まり、品不足が生じて価格の高騰を招いた。
【０００３】
新型コロナウイルス感染症の第１波ピークは過ぎたが、第２波が到来し、続けて第３波の到来も予想されている。これに伴い、新しい生活様式が定着し、マスクの着用が日常化していくものと考えられる。
【０００４】
このように、新しい生活様式において日常的にマスクの着用・取外しが頻繁になると、イヤリングやピアスがマスクの耳掛紐に引っ掛かってマスクの取外しができなくなり、或いは、マスクと共に耳から取れてしまうという問題があった。また、イヤリングやピアスがマスクと共に耳から取れた際に、マスクからも離れて紛失するという問題もあった。特に、高価な真珠やジュエリーの場合、紛失は所有者にとって大きな打撃となる。このようなことから、マスクの着用・取外しが頻繁になると、耳周りの装飾品を装着するのが煩わしく感じてくるという問題もあった。しかし、一方では新しい生活様式においても、耳周りのオシャレを求める気持ちには変わりがない。
【０００５】
そこで、下記特許文献１において、衛生マスク用装飾品保持具が提案されている。これは、耳周りの装飾品をイヤリングやピアスとするのではなく、装飾品をマスクの耳掛紐に取り付けることにより、マスクの着用・取外しの際の煩わしさがなく、オシャレができる新たな提案として注目されている。
【先行技術文献】
【特許文献】
【０００６】
【特許文献１】意匠登録１６６５１６５号公報
【考案の概要】
【考案が解決しようとする課題】
【０００７】
上記特許文献１の衛生マスク用装飾品保持具を利用したマスク用装飾品の一例を図９に示す。図９において、（Ａ）はマスク用装飾品の正面図、（Ｂ）はマスク用装飾品の平面図である。図９において、ペンダントトップ１（図９（Ｂ）では記載せず）は、装飾品保持具２に支持されてマスクの耳掛紐３に係止されている（マスク本体は省略）。なお、装飾品保持具２は、線材をスプリング状に成形した２重コイル２ａ、２ｂで構成されている。図９（Ｂ）において、装飾品保持具２は、ばね性を有する２重コイル２ａ、２ｂの間に挟持された状態で耳掛紐３に係止されている。
【０００８】
この状態においては、装飾品保持具２は、耳掛紐３にしっかり係止（固定）されている。しかし、装飾品保持具２を係止する耳掛紐３の位置を変更する際には、いちいち装飾品保持具２を耳掛紐３から取外し、改めて他の位置に係止しなければならない。また、装飾品保持具２は、２重コイル２ａ、２ｂの間に挟持されているだけであり、着用者の手が触れ、或いは、マスクの着用・取外しの際に耳掛紐３から脱離してペンダントトップを紛失するという問題が生じる。
【０００９】
そこで、本考案は、以上のようなことに対処して、イヤリングやピアスのようにマスクの着用・取外しの際の煩わしさがなく、マスクから取外す際に耳掛紐から脱離してペンダントトップを紛失することがなく、耳掛紐に取り付ける位置を容易に変更することができ、新しい生活様式において耳周りのオシャレをすることのできるペンダント支持体、及び、これを用いたマスク用ペンダントを提供することを目的とする。
【課題を解決するための手段】
【００１０】
上記課題の解決にあたり、本考案者は、鋭意研究の結果、ばね性を有する線材を一体的に環状に曲げ形成して係入部を形成し、この環状の内部に係止部と挿通部とを形成するすることにより、上記問題を解決できることを見出し本考案の完成に至った。なお、下記の各請求項に記載の括弧内の数字は、本考案に係る実施形態の各構成要素を示す符号である。
【００１１】
即ち、本考案に係るペンダント支持体は、請求項１の記載によると、
ペンダントトップ（３０、１３０）を支持してマスク（４）の耳掛紐（３）などに係止するためのペンダント支持体（２０、１２０）であって、
ばね性を有する線材（２１）を一体的に環状に曲げ形成することにより、ペンダントトップを支持する支持部（２２）と、前記耳掛紐に係止する係止部（２３）と、前記耳掛紐を挿通した状態で移動する挿通部（２４）と、前記挿通部の内部に前記耳掛紐を係入する係入部（２５）とを構成し、
前記線材の一方の端部（２１ａ）で前記支持部を下部に形成し、当該線材を略直線状に上方に向けて前記挿通部と前記係止部のそれぞれ一方の側部（２４ａ、２３ａ）を形成し、
当該線材を上部において前記耳掛紐の外径より小さい曲率で略半円形に下方に曲げて前記係止部の上部（２３ｃ）を形成し、
当該線材を前記係止部の上部半円形の端部から略直線状に下方に向けて前記係止部の他方の側部（２３ｂ）を形成し、当該線材を前記耳掛紐の外径より大きい曲率で略半円形に側方から下方に曲げて前記挿通部の他方の側部（２４ｂ）を形成し、
当該挿通部の他方の側部の下端部を前記支持部から略直線状に上方に向けて形成された前記挿通部の一方の側部に向けて当該一方の側部と交差状態に掛止して前記係入部を形成し、
前記係止部の上部半円形の端部を支点として前記挿通部の一方の側部と他方の側部とを弾性的に近接させて前記係入部の交差状態を解放することにより、前記耳掛紐を当該係入部から前記挿通部に係入し、
係入後には前記弾性的な解放を解消して元の交差状態とし、挿通された前記耳掛紐が前記係入部から脱離することがないことを特徴とする。
【００１２】
また、本考案に係るマスク用ペンダントは、請求項２の記載によると、
ペンダントトップと請求項１に記載のペンダント支持体とからなり、
当該ペンダントトップが前記ペンダント支持体の前記支持部に支持されていることを特徴とする。
【考案の効果】
【００１３】
上記構成によれば、ペンダント支持体は、ばね性を有する線材を一体的に環状に曲げ形成することにより、ペンダントトップの支持部と、耳掛紐への係止部と、耳掛紐上を移動できる挿通部と、挿通部内に耳掛紐を係入する係入部とを構成する。まず、線材の一方の端部で支持部を下部に形成し、略直線状に上方に向けて挿通部と係止部のそれぞれ一方の側部を形成する。次に、当該線材を上部において耳掛紐の外径より小さい曲率で略半円形に下方に曲げて係止部の上部を形成する。次に、当該線材を係止部の上部半円形の端部から略直線状に下方に向けて係止部の他方の側部を形成する。次に、当該線材を耳掛紐の外径より大きい曲率で略半円形に側方から下方に曲げて前記挿通部の他方の側部を形成する。
【００１４】
次に、当該挿通部の他方の側部の下端部を支持部から略直線状に上方に向けて形成された挿通部の一方の側部に向けて当該一方の側部と交差状態に掛止して係入部を形成する。このような構成において、係止部の上部半円形の端部を支点として挿通部の一方の側部と他方の側部とを弾性的に近接させて係入部の交差状態を解放することにより、耳掛紐を当該係入部から前記挿通部に係入する。一方、係入後には弾性的な解放を解消して元の交差状態とし、挿通された耳掛紐が係入部から脱離することがない。
【００１５】
上記構成によれば、マスク用ペンダントは、ペンダントトップと請求項１に記載のペンダント支持体とからなる。また、ペンダントトップは、ペンダント支持体の支持部に支持されている。
【００１６】
このように、上記構成によれば、イヤリングやピアスのようにマスクの着用・取外しの際の煩わしさがなく、マスクから取外す際に耳掛紐から脱離してペンダントトップを紛失することがなく、耳掛紐に取り付ける位置を容易に変更することができ、新しい生活様式において耳周りのオシャレをすることのできるペンダント支持体、及び、これを用いたマスク用ペンダントを提供することができる。
【図面の簡単な説明】
【００１７】
【図１】本考案に係るマスク用ペンダントをマスクの耳掛紐に係止し、当該マスクを装着した横顔を示す図である。
【図２】本考案に係るペンダント支持体を用いたマスク用ペンダントを示す（Ａ）正面図、（Ｂ）左側面図である。
【図３】図２のペンダント支持体と耳掛紐との関係において（Ａ）耳掛紐が挿通部にある状態、（Ｂ）耳掛紐が係止部にある状態を示す図である。
【図４】実際に作製したマスク用ペンダントの写真である。
【図５】図４のマスク用ペンダントをマネキンが装着するマスクの耳掛紐に係止した状態を示す写真である。
【図６】図４のペンダントトップを変更したマスク用ペンダントの写真である。
【図７】図６のマスク用ペンダントのペンダント支持体をノンホールピアスの固定具に取り付けたノンホールピアスを示す写真である。
【図８】図７のノンホールピアスをマネキンの耳に装着した状態を示す写真である。
【図９】従来のマスクの耳掛紐に取り付ける装飾品の一例を示す（Ａ）正面図、（Ｂ）平面図である。
【考案を実施するための形態】
【００１８】
以下、本考案に係るペンダント支持体、及び、これを用いたマスク用ペンダントを実施形態により説明する。なお、本考案は、下記の実施形態にのみ限定されるものではない。また、本考案に係るペンダント支持体は、主にマスク用ペンダントに使用するものであるが、その他の使用法、例えば、ノンホールピアスなどのように使用することもできる。
【００１９】
図１は、本考案に係るマスク用ペンダントをマスクの耳掛紐に係止し、当該マスクを装着した横顔を示す図である。図１において、女性が着用するマスク４の耳掛紐３には、マスク用ペンダント１０が係止されている。このようなマスク用ペンダント１０を使用することにより、新しい生活様式においてマスクを着用した際にもイヤリングやピアスのように耳元のオシャレをすることができる。
【００２０】
なお、このようなマスク用ペンダント１０を使用することにより、イヤリングやピアスのようにマスクの着用・取外しの際の煩わしさがなく、マスクから取外す際に耳掛紐から脱離してペンダントトップを紛失することがない。また、このマスク用ペンダント１０は、耳掛紐に取り付ける位置を容易に変更することができ（詳細は後述する）。
【００２１】
次に、マスク用ペンダント１０について説明する。図２は、本考案に係るペンダント支持体を用いたマスク用ペンダントを示す（Ａ）正面図、（Ｂ）左側面図である。図２において、マスク用ペンダント１０は、ペンダント支持体２０とペンダントトップ３０とで構成されている。ペンダントトップ３０は、３連の真珠３１、３２、３３がチェーン状に各連結リング３４で連結している。
【００２２】
ペンダント支持体２０は、ばね性を有する線材２１を一体的に環状に曲げ形成することにより構成されている。本考案においては、線材２１は、金属線材を使用することが好ましく、必要により金、銀、プラチナなどの貴金属を使用してもよい。なお、形成されたペンダント支持体２０は、ペンダントトップと連結して支持するためにリング状に形成された支持部２２と、耳掛紐（図示せず）への係止部２３と、耳掛紐上を移動できる挿通部２４と、挿通部２４内に耳掛紐を係入する係入部２５とで構成されている。
【００２３】
線材２１を一体的に環状に曲げ形成して各部を構成するには、まず、線材２１の一方の端部２１ａで支持部２２をリング状に形成する。次に、支持部２２から線材２１を略直線状に上方に向けて伸ばし、挿通部２４の一方の側部２４ａと係止部２３の一方の側部２３ａを形成する。次に、線材２１を耳掛紐（図示せず）の外径より小さい曲率で略半円形に下方に曲げて係止部２３の上部２３ｃを形成する。次に、線材２１を係止部２３の上部２３ｃの半円形の端部から略直線状に下方に向けて係止部２３の他方の側部２３ｂを形成する。
【００２４】
このことにより、係止部２３の２本の側部２３ａ、２３ｂは略平行に形成され、それらの間隔は耳掛紐の外径より小さく形成される。よって、マスクの耳掛紐にペンダント支持体２０を係止（移動しないように固定）できる。なお、係止部２３の２本の側部２３ａ、２３ｂの間隔は、略平行ではなくいずれか一方に狭まる、又は一方に広がるように形成してもよい。
【００２５】
次に、線材２１を係止部２３の他方の側部２３ｂから耳掛紐の外径より大きい曲率で略半円形に側方から下方（係止部２３の一方の側部２３ａから離れる方向）に曲げて挿通部２４の他方の側部２４ｂを形成する。このことにより、挿通部２４の２本の側部２４ａ、２４ｂで形成される空間は、略半円形に耳掛紐の外径より大きく形成される。よって、マスクの耳掛紐が挿通部２４の空間にある時には、ペンダント支持体２０は挿通部２４の空間を介して耳掛紐の各位置に自由に移動することができる。なお、挿通部２４の２本の側部２４ａ、２４ｂで形成される空間は、略半円形ではなく略円形などどのような形状であってもよい。
【００２６】
次に、線材２１を挿通部２４の他方の側部２４ｂの下端部から、挿通部２４の一方の側部２４ａに向けて伸ばす。次に、線材２１の他方の端部２１ｂを挿通部２４の一方の側部２４ａを回り込むように交差状態に掛止して係入部２５を形成する。
【００２７】
このような構成において、係止部２３の半円形の上部２３ｃを支点として挿通部の一方の側部２４ａと他方の側部２４ｂとを弾性的に近接させて係入部２５の交差状態を解放することにより、耳掛紐を係入部２５から挿通部２４の空間内に係入することができる。一方、係入後には挿通部の一方の側部２４ａと他方の側部２４ｂとの弾性的な解放を解消して元の交差状態となり、挿通された耳掛紐が係入部２５から脱離することがない。
【００２８】
図３は、ペンダント支持体と耳掛紐との関係において（Ａ）耳掛紐が挿通部にある状態、（Ｂ）耳掛紐が係止部にある状態を示す図である。図３（Ａ）において、まず、マスク（図示せず）の耳掛紐３を係入部２５の弾性的な解放を介して挿通部２４の空間内に係入する。この状態において、挿通部２４の略半円形の空間は、耳掛紐３の外径より大きく形成されている。
【００２９】
よって、ペンダント支持体２０は、挿通部２４の空間を介して耳掛紐３の各位置に自由に移動することができる。また、この状態においては、係入部２５が弾性的な解放を解消して元の交差状態となっており、挿通された耳掛紐３が係入部２５を介して脱離することがない。一方、図３（Ｂ）においては、マスクの耳掛紐３は、挿通部２４から係止部２３の方に移動しており、耳掛紐３の外径より小さく形成された係止部２３の空間に係止されており、この位置に固定された状態で移動することがない。
【００３０】
次に、実際に作製したのマスク用ペンダントを写真で紹介する。図４は、実際に作製したマスク用ペンダント１０（ペンダント支持体２０とペンダントトップ３０）の写真である。また、図５は、図４のマスク用ペンダント１０をマネキンが装着するマスク４の耳掛紐３に係止した状態を示す写真である。また、図６は、図４のペンダントトップを変更したマスク用ペンダント１１０（ペンダント支持体１２０とペンダントトップ１３０）の写真である。
【００３１】
また、本考案に係るペンダント支持体をマスク用以外に使用する例を紹介する。図７は、図６のペンダント１１０のペンダント支持体１２０をノンホールピアス（耳にピアスの穴をあけずにつけられるアクセサリー）の固定具１４０に取り付けたノンホールピアス１５０を示す写真である。また、図８は、図７のノンホールピアス１５０（ペンダント１１０と金具１４０）をマネキンの耳に装着した状態を示す写真である。
【００３２】
以上説明したように、本考案によれば、イヤリングやピアスのようにマスクの着用・取外しの際の煩わしさがなく、マスクから取外す際に耳掛紐から脱離してペンダントトップを紛失することがなく、耳掛紐に取り付ける位置を容易に変更することができ、新しい生活様式において耳周りのオシャレをすることのできるペンダント支持体、及び、これを用いたマスク用ペンダントを提供することができる。
【符号の説明】
【００３３】
１…ペンダントトップ、２…装飾品保持具、２ａ、２ｂ…２重コイル、
３…耳掛紐、４…マスク、１０、１１０…マスク用ペンダント、
２０、１２０…ペンダント支持体、３０、１３０…ペンダントトップ、
２１…線材、２１ａ…線材の一方の端部、２１ｂ…線材の他方の端部、
２２…支持部、２３…係止部、２４…挿通部、２５…係入部、
２３ａ…係止部の一方の側部、２３ｂ…係止部の他方の側部、２３ｃ…係止部の上部、
２４ａ…挿通部の一方の側部、２４ｂ…挿通部の他方の側部、
３１、３２、３３…３連の真珠、３４…連結リング、
１４０…ノンホールピアスの固定具、１５０…ノンホールピアス。
【図１】
0003230382.tif 000003
【図２】
0003230382.tif 000004
【図３】
0003230382.tif 000005
【図４】
0003230382.tif 000006
【図５】
0003230382.tif 000007
【図６】
0003230382.tif 000008
【図７】
0003230382.tif 000009
【図８】
0003230382.tif 000010
【図９】
0003230382.tif 000011